(57)【特許請求の範囲】
【請求項１】
掬い網を装着するＣ状の枠杆の先端部同志を連結して閉塞環状とし、この連結部に握柄の先端部に螺着する螺子杆を設け、前記枠杆の途中に折畳むための枢着部を複数箇所設けた掬い網用枠杆の折畳み構造において、前記連結部は、前記Ｃ状の枠杆の先端部を前記螺子杆に対して回動自在に枢着して連結する構成とし、前記螺子杆を前記握柄の先端部に締め付け螺着した状態においては、前記Ｃ状の枠杆を握柄基端側へ回動することがこのＣ状の枠杆の先端部とこの握柄の先端部との当接により阻止され、螺子杆又は握柄を緩め回動して螺子杆と握柄の先端部とを離反状態とすることで前記Ｃ状杆を握柄基端側へ回動可能となるように構成し、この握柄基端側への回動と、前記Ｃ状の枠杆途中の枢着部での回動とによってこのＣ状の枠杆を前記握柄基端側へ回動させて握柄に添設状態に折畳み収納し得るように構成したことを特徴とする掬い網用枠杆の折畳み構造。
【請求項２】
前記Ｃ状の枠杆の先端部を前記握柄の先端部に螺着する前記螺子杆の頭部左右に夫々回動自在に枢着して前記Ｃ状の枠杆の先端部同志を連結したことを特徴とする請求項１記載の掬い網用枠杆の折畳み構造。
【請求項３】
前記Ｃ状の枠杆の先端部に、前記螺子杆を前記握柄の先端部に締め付け螺着した際にこの握柄の先端部に当接する当接部を設け、前記螺子杆又は前記握柄を緩め回動して前記握柄の先端部とこの当接部とを所定距離離反させることで、前記Ｃ状の枠杆を握柄基端側へ回動し得るように構成したことを特徴とする請求項１，２のいずれか１項に記載の掬い網用枠杆の折畳み構造。
【請求項４】
前記Ｃ状の枠杆の枠杆部先端に取付部を設けて先端部とし、この先端部の取付部の底面を平坦面として前記当接部を形成し、前記螺子杆を前記握柄の先端部に締め付け螺着した際、この平坦面状の当接部が握柄の先端部に面接するように構成したことを特徴とする請求項３記載の掬い網用枠杆の折畳み構造。
【請求項５】
前記Ｃ状の枠杆の先端部として設けた前記取付部を内方へ突出状態に設けて、前記Ｃ状の枠杆の枠杆部は、回動に際して握柄に当接しないように構成し、前記取付部が握柄の先端部によって回動阻止されるように構成したことを特徴とする請求項１〜４のいずれか１項に記載の掬い網用枠杆の折畳み構造。
【請求項６】
前記螺子杆の頭部側左右に取付係合部を設け、この取付係合部に前記Ｃ状の枠杆の先端部として設けた取付部を着脱自在にして回動自在に枢着したことを特徴とする請求項１〜５のいずれか１項に記載の掬い網用枠杆の折畳み構造。
【発明の詳細な説明】
【０００１】
【発明の属する技術分野】
本発明は、例えば魚取り用のたも網などに使用する掬い網用枠杆の折畳み構造に関するものである。
【０００２】
【従来の技術及び発明が解決しようとする課題】
従来のたも網は、例えば特許第２７０４５０８号に示すように掬い網を装着する枠杆を折畳み自在に構成しているが、Ｃ状の枠杆の先端部同志を握柄の先端部に連結して閉塞環状とし、不使用時には、例えば図１０〜図１２に示すようにＣ状の枠杆の先端部の一方の連結を外し、Ｃ状の枠杆の途中に設けた枢着部を利用して屈曲回動あるいは反転回動して折畳み重合できるように構成している。
【０００３】
しかしながら、従来の掬い網用枠杆の折畳み構造では、Ｃ状の枠杆を折畳んでも、握柄の先端部に突出した状態のままであり、たとえ握柄を伸縮自在構造として縮小し短くしたとしても、この枠杆が握柄先端部より突出しているため、全体長を十分短くできず、径の大きな枠杆の場合には収納スペースがそれだけ必要となり、狭い車のトランクなどに収納できない場合があり、また、折畳んでも枠杆が握柄先端部より突出しているため収納した状態での体裁も悪く、また、持ち運びにくく、携帯性にも劣る欠点があった。
【０００４】
本発明は、Ｃ状の枠杆の先端部を握柄先端部に着脱自在に連結固定するという従来の固定観念を打破し、従来通り使用時は閉塞環状に固定できる上、簡単な操作で枠杆を握柄基端側へ回動して握柄に添設状態に折畳み収納でき、それ故収納時の全体長を短くでき収納スペースが小さくてすみ、持ち運びにも便利な画期的な掬い網用枠杆の折畳み構造を提供することを目的としている。
【０００５】
【課題を解決するための手段】
添付図面を参照して本発明の要旨を説明する。
【０００６】
掬い網１を装着するＣ状の枠杆２の先端部２Ａ・２Ｂ同志を連結して閉塞環状とし、この連結部３に握柄４の先端部に螺着する螺子杆５を設け、前記枠杆２の途中に折畳むための枢着部６を複数箇所設けた掬い網用枠杆の折畳み構造において、前記連結部３は、前記Ｃ状の枠杆２の先端部２Ａ・２Ｂを前記螺子杆５に対して回動自在に枢着して連結する構成とし、前記螺子杆５を前記握柄４の先端部に締め付け螺着した状態においては、前記Ｃ状の枠杆２を握柄基端側へ回動することがこのＣ状の枠杆２の先端部２Ａ・２Ｂとこの握柄４の先端部との当接により阻止され、螺子杆５又は握柄４を緩め回動して螺子杆５と握柄４の先端部とを離反状態とすることで前記Ｃ状杆２を握柄基端側へ回動可能となるように構成し、この握柄基端側への回動と、前記Ｃ状の枠杆２途中の枢着部６での回動とによってこのＣ状の枠杆２を前記握柄基端側へ回動させて握柄４に添設状態に折畳み収納し得るように構成したことを特徴とする掬い網用枠杆の折畳み構造に係るものである。
【０００７】
また、前記Ｃ状の枠杆２の先端部２Ａ・２Ｂを前記握柄４の先端部に螺着する前記螺子杆５の頭部左右に夫々回動自在に枢着して前記Ｃ状の枠杆２の先端部２Ａ・２Ｂ同志を連結したことを特徴とする請求項１記載の掬い網用枠杆の折畳み構造に係るものである。
【０００８】
また、前記Ｃ状の枠杆２の先端部２Ａ・２Ｂに、前記螺子杆５を前記握柄４の先端部に締め付け螺着した際にこの握柄４の先端部に当接する当接部７を設け、前記螺子杆５又は前記握柄４を緩め回動して前記握柄４の先端部とこの当接部７とを所定距離離反させることで、前記Ｃ状の枠杆２を握柄基端側へ回動し得るように構成したことを特徴とする請求項１，２のいずれか１項に記載の掬い網用枠杆の折畳み構造に係るものである。
【０００９】
また、前記Ｃ状の枠杆２の枠杆部２Ｃ先端に取付部２Ａ・２Ｂを設けて先端部２Ａ・２Ｂとし、この先端部２Ａ・２Ｂの取付部２Ａ・２Ｂの底面を平坦面として前記当接部７を形成し、前記螺子杆５を前記握柄４の先端部に締め付け螺着した際、この平坦面状の当接部７が握柄４の先端部に面接するように構成したことを特徴とする請求項３記載の掬い網用枠杆の折畳み構造に係るものである。
【００１０】
また、前記Ｃ状の枠杆２の先端部２Ａ・２Ｂとして設けた前記取付部２Ａ・２Ｂを内方へ突出状態に設けて、前記Ｃ状の枠杆２の枠杆部２Ｃは、回動に際して握柄４に当接しないように構成し、前記取付部２Ａ・２Ｂが握柄４の先端部によって回動阻止されるように構成したことを特徴とする請求項１〜４のいずれか１項に記載の掬い網用枠杆の折畳み構造に係るものである。
【００１１】
また、前記螺子杆５の頭部側左右に取付係合部８を設け、この取付係合部８に前記Ｃ状の枠杆２の先端部２Ａ・２Ｂとして設けた取付部２Ａ・２Ｂを着脱自在にして回動自在に枢着したことを特徴とする請求項１〜５のいずれか１項に記載の掬い網用枠杆の折畳み構造に係るものである。
【００１２】
【発明の実施の形態】
好適と考える本発明の実施の形態（発明をどのように実施するか）を、図面に基づいてその作用効果を示して簡単に説明する。
【００１３】
掬い網１を装着したＣ状の枠杆２の先端部２Ａ・２Ｂ同志を連結し、この連結部３に設けた螺子杆５を握柄４の先端部に螺着する。
【００１４】
言い換えると、例えばＣ状の枠杆２の先端部２Ａ・２Ｂを螺子杆５を介して連結し、この連結部３の螺子杆５を握柄４の先端部に螺着し、握柄４の先端部に環状閉塞した枠杆２を固定する。
【００１５】
本発明では、Ｃ状の枠杆２の途中複数箇所に屈曲折畳み用の枢着部６を設けるだけでなく、前記Ｃ状の枠杆２の先端部２Ａ・２Ｂを回動自在に枢着連結している。
【００１６】
また、握柄４の先端部に螺子杆５を締め付け螺着した状態では、回動不能でありＣ状の枠杆２は環状状態が保持され固定されているが、不使用時において例えば螺子杆５に対して握柄４を緩め回動して螺子杆５（連結部３）と握柄４の先端部とをある程度離反させると、握柄４の先端部によるＣ状の枠杆２の回動阻止が解除される。
【００１７】
従って、例えばＣ状の枠杆２の左右部分を、Ｃ状の枠杆２の頂部，左右の枢着部６を基点に屈曲させつつ握柄基端部へ回動させることで、Ｃ状の枠杆２を握柄４の基端側へ握柄４に添設状態に折畳み収納できることとなる。
【００１８】
【実施例】
本発明の具体的な実施例について図面に基づいて説明する。
【００１９】
本実施例では、連結することで円形となるＣ状の枠杆２の先端部２Ａ・２Ｂ同志を螺子杆５を介して連結し閉塞環状とし、この枠杆２の途中には折畳むための枢着部６を、連結部３と反対側の頂部並びに左右の合計３箇所に設けた構成としている。この各枢着部６は内側への屈曲のみを許容する構成のため、使用時において後述のように握柄基端側へ回動不能のとき、反対側へも回動不能とあり、連結部３の構成に回り止め構造を施さなくても使用時においてはＣ状の枠杆２の環状状態は固定保持されるように構成している。
【００２０】
この連結部３は、前記Ｃ状の枠杆２の先端部２Ａ・２Ｂを、前記螺子杆５に対して回動自在に枢着して連結する構成とし、螺子杆５を握柄４の先端部に螺着した状態においては、前記Ｃ状の枠杆２を握柄基端側へ回動することがこの握柄４の先端部により阻止され、螺子杆５又は握柄４を緩め回動して握柄４の先端部と離反状態とすることで回動可能となるように構成し、この握柄基端側への回動と、前記Ｃ状の枠杆２途中の枢着部６での回動とによってこのＣ状の枠杆２を前記握柄基端側へ回動させて握柄４に左右の枢着部６が前後して重合するように添設状態として折畳み収納し得るように構成している。
【００２１】
具体的に本実施例では、螺子杆５を前記握柄４の先端部に締め付け螺着した際にこの握柄４の先端部に当接する当接部７を設けるが、このＣ状の枠杆２の枠杆部２Ｃ先端に取付部２Ａ・２Ｂを設けて先端部２Ａ・２Ｂとし、この先端部２Ａ・２Ｂの取付部２Ａ・２Ｂの底面を平坦面として前記当接部７を形成し、前記螺子杆５を前記握柄４の先端部に締め付け螺着した際、この平坦面状の当接部７が握柄４の先端部に面接するように構成している。
【００２２】
即ち、本実施例では、前記Ｃ状の枠杆２の先端部２Ａ・２Ｂとして設けた前記取付部２Ａ・２Ｂを内方へ突出状態に（所定厚に）設けて、前記Ｃ状の枠杆２の枠杆部２Ｃは、握柄４の径より左右互いに離間状態となっていて、回動に際して握柄４に当接しないように構成し、前記取付部２Ａ・２Ｂが握柄４の先端部によって回動阻止されるように構成している。
【００２３】
また、本実施例では、前記螺子杆５の頭部側左右に筒状の取付係合部８を設け、この取付係合部８に前記Ｃ状の枠杆２の先端部２Ａ・２Ｂとして設けた取付部２Ａ・２Ｂを被嵌係合して回動自在に枢着している。
【００２４】
また、この取付部２Ａ・２Ｂの被嵌係合孔９を介して取付係合部８に係合ピン１０を差し込み係合し、この係合ピン１０を、取付係合部８の側方から係合ピン１０の側面に設けた係止孔１１に止めピン１２やイモネジなどで係止して、着脱自在に連結している。
【００２５】
【発明の効果】
本発明は上述のように構成したから、従来通り使用時は閉塞環状に固定できる上、螺子杆又は握柄を緩め回動する簡単な操作で枠杆を握柄基端側へ回動して握柄に添設状態に折畳み収納でき、それ故収納時の全体長を短くでき収納スペースが小さくてすみ、持ち運びにも便利な画期的な掬い網用枠杆の折畳み構造となる。
【００２６】
また、請求項２，３，４，５，６記載の発明においては、簡易な構成で本発明を容易に実現でき、一層実用性に秀れた画期的な掬い網用枠杆の折畳み構造となる。
【図面の簡単な説明】
【図１】本実施例の使用状態での説明正面図である。
【図２】本実施例の不使用時の折畳み途中１の説明正面図である。
【図３】本実施例の不使用時の折畳み途中２の説明正面図である。
【図４】本実施例の不使用時の折畳み収納時の説明正面図である。
【図５】本実施例の要部の分解斜視図である。
【図６】本実施例の要部の斜視図である。
【図７】本実施例の要部の断面図である。
【図８】本実施例の使用状態の要部の正面図である。
【図９】本実施例の不使用時の折畳み途中の要部の正面図である。
【図１０】従来例の使用状態での説明正面図である。
【図１１】従来例の不使用時の折畳み途中の説明正面図である。
【図１２】従来例の不使用時の折畳み収納時の説明正面図である。
【符号の説明】
１  掬い網
２  Ｃ状の枠杆
２Ａ  先端部（取付部）
２Ｂ  先端部（取付部）
２Ｃ  枠杆部
３  連結部
４  握柄
５  螺子杆
６  枢着部
７  当接部
８  取付係合部
【図１】
0003628609.tif 000002
【図２】
0003628609.tif 000003
【図３】
0003628609.tif 000004
【図４】
0003628609.tif 000005
【図５】
0003628609.tif 000006
【図６】
0003628609.tif 000007
【図７】
0003628609.tif 000008
【図８】
0003628609.tif 000009
【図９】
0003628609.tif 000010
【図１０】
0003628609.tif 000011
【図１１】
0003628609.tif 000012
【図１２】
0003628609.tif 000013